(57)【要約】【課題】マイクロホン部の部品点数を少なくすると共に外観上の凹凸を少なくし、意匠的にすっきりし、収納時のコードの絡みを軽減することを目的とする。【解決手段】左チャンネル入力コード２Ｌ、右チャンネル入力コード２Ｒ及び出力コード７を互に結合して成る複合コード部４ａと、この左チャンネル入力コード２Ｌ及びこの右チャンネル入力コード２Ｒの分岐部を覆うコード分岐部カバー３と、このコード分岐部カバー３よりの左チャンネル入力コード２Ｌ及び右チャンネル入力コード２Ｒの長さを互に異ならしめると共にこの左チャンネル入力コード２Ｌ及び右チャンネル入力コード２Ｒの夫々の先端に設けた左ヘッドホン１Ｌ及び右ヘッドホン１Ｒと、このコード分岐部カバー３内に設けたマイクロホン６とより成るものである。【選択図】　　　　図１
2004064537.tif 000002
【特許請求の範囲】
【請求項１】
左チャンネル入力コード、右チャンネル入力コード及び出力コードを互に結合して成る複合コード部と、
前記左チャンネル入力コード及び前記右チャンネル入力コードの分岐部を覆うコード分岐部カバーと、
該コード分岐部カバーよりの左チャンネル入力コード及び右チャンネル入力コードの長さを互に異ならしめると共に前記左チャンネル入力コード及び右チャンネル入力コードの夫々の先端に設けた左ヘッドホン及び右ヘッドホンと、
前記コード分岐部カバー内に設けたマイクロホンとより成ることを特徴とするヘッドセット。
【請求項２】
請求項１記載のヘッドセットにおいて、
前記コード分岐部カバーよりの左チャンネル入力コード及び右チャンネル入力コードの延出方向が互に逆方向で且つ長さの長い入力コードが前記複合コード部の延在方向と同方向となるようにしたことを特徴とするヘッドセット。
【発明の詳細な説明】
【０００１】
【発明の属する技術分野】
本発明は携帯可能なパーソナルコンピューター、携帯電話機等に使用して好適なヘッドセットに関する。
【０００２】
【従来の技術】
近年、携帯可能なパーソナルコンピューター、携帯電話機が広く普及しており、このような携帯可能なパーソナルコンピューターや携帯電話機においては、ヘッドホン（受音）とマイクロホン（収音）とを有するヘッドセットを着脱使用する如くなされている。
【０００３】
従来このヘッドセットとして図３及び図４に示す如きものがある。図３につき説明するに、図３において、１Ｌ及び１Ｒは夫々左及び右ヘッドホンを示し、この左及び右ヘッドホン１Ｌ及び１Ｒよりの左及び右チャンネル入力コード２Ｌ及び２Ｒをコードが引っ張られた時の破壊防止を目的でこの分岐部を覆うコード分岐部カバー３内で互に結合し、このコード分岐部カバー３よりの左及び右チャンネル入力コード２Ｌ及び２Ｒの合体された複合コード部４の所定長を介してこの左及び右チャンネル入力コード２Ｌ及び２Ｒを夫々ステレオプラグ５の所定位置に接続する如くしている。
【０００４】
またこの図３においては、このコード分岐部カバー３よりややステレオプラグ５よりの複合コード部４にマイクロホン６を固定し、このマイクロホン６を複合コード部４に合体した出力コード７を介してマイクロホンプラグ８に接続する。
【０００５】
また図４例はヘッドバンド９の両端に左及び右ヘッドホン１Ｌ及び１Ｒを設けると共に例えば左ヘッドホン１Ｌの外筺にアーム１０の一端を固定し、このアーム１０の他端の略口元に対応する部分にマイクロホン６を固定し、このマイクロホン６の出力コード及び左ヘッドホン１Ｌの左チャンネル入力コードの合体された複合コード１１と右ヘッドホン１Ｒの右チャンネル入力コード２Ｒとを分岐部を覆うコード分岐部カバー３内で互に結合し、このコード分岐部カバー３よりの左及び右チャンネル入力コードとマイクロホン６の出力コード７との合体された複合コード部４ａの所定長を介し、この左及び右チャンネル入力コードを夫々ステレオプラグ５の所定位置に接続すると共にこの出力コード７をマイクロホンプラグ８に接続する如くしていた。
【０００６】
【発明が解決しようとする課題】
上述従来のヘッドセットではマイクロホン６部を形成する部品点数が多く、組立て工数も多い等、コスト上昇の要因となっていた。
【０００７】
また、外観上、凹凸が多く、意匠的にすっきりしない不都合があると共にコードが絡みやすい等の機能上の使いにくさもあった。
【０００８】
本発明は、斯る点に鑑みマイクロホン部の部品点数を少なくすると共に外観上の凹凸を少なくし意匠的にすっきりし、収納時のコードの絡みを軽減することを目的とする。
【０００９】
【課題を解決するための手段】
本発明ヘッドセットは左チャンネル入力コード、右チャンネル入力コード及び出力コードを互に結合して成る複合コード部と、この左チャンネル入力コード及びこの右チャンネル入力コードの分岐部を覆うコード分岐部カバーと、このコード分岐部カバーよりの左チャンネル入力コード及び右チャンネル入力コードの長さを互に異ならしめると共にこの左チャンネル入力コード及び右チャンネル入力コードの夫々の先端に設けた左ヘッドホン及び右ヘッドホンと、このコード分岐部カバー内に設けたマイクロホンとより成るものである。
【００１０】
斯る本発明によれば、コード分岐部カバー内にマイクロホンを設けたので、このマイクロホン部の部品点数を少なくできると共に、このヘッドセットの外観上の凹凸が少なくなり、意匠的にすっきりし、且つ収納時のコードの絡みを軽減することができる。
【００１１】
【発明の実施の形態】
以下図１及び図２を参照して本発明ヘッドセットの実施の形態の例につき説明する。この図１、図２において、図３、図４に対応する部分には同一符号を付して示す。
【００１２】
図１例において、１Ｌ及び１Ｒは夫々左耳及び右耳に挿入する如くなされた左及び右ヘッドホンを示し、この左及び右ヘッドホン１Ｌ及び１Ｒよりの左及び右チャンネル入力コード２Ｌ及び２Ｒをコードが引っ張られた時の破壊防止を目的でこの分岐部を覆うコード分岐部カバー１３内で互に結合し、このコード分岐部カバー１３よりの左及び右チャンネル入力コード２Ｌ及び２Ｒの合体した複合コード部４の所定長を介して、この左及び右チャンネル入力コード２Ｌ及び２Ｒを夫々ステレオプラグ５の所定位置に接続する。
【００１３】
本例においては、このコード分岐部カバー１３よりの左ヘッドホン１Ｌまでの左チャンネル入力コード２Ｌの長さをコード分岐部カバー１３よりの右ヘッドホン１Ｒまでの右チャンネル入力コード２Ｒの長さを長くし、例えば右ききの人の使い勝手が良くなる如くする。
【００１４】
本例においては、このコード分岐部カバー１３内を図２に示す如く構成する。このコード分岐部カバー１３をラバー、プラスチック等で構成し、本例においては、このコード分岐部カバー１３内の略中央にマイクロホン６を固定し、このマイクロホン６に一端が接続された出力コード７を複合コード部４に合体し、この出力コード７が合体された複合コード部４ａの所定長先の出力コード７の他端をマイクロホンプラグ８に接続する。
【００１５】
このマイクロホン６としては例えばエレクトレットマイクロホン、ダイナミックマイクロホン等が用いられる。
【００１６】
また本例においては、このコード分岐部カバー１３内において、このコード分岐部カバー１３より左ヘッドホン１Ｌまでの長さが短い左チャンネル入力コード２Ｌをこのコード分岐部カバー１３の複合コード部４ａ側の一端より他端に導出する如くすると共にこのコード分岐部カバー１３より右ヘッドホン１Ｒまでの長さが長い右チャンネル入力コード２Ｒをこのコード分岐部カバー１３内で折り返し、このコード分岐部カバー１３の複合コード部４ａの延在方向の一端側より導出する如くする。
【００１７】
この図２に示す如きコード分岐部カバー１３は、図１に示す如く上側より所定の蓋体を被せ固定する如くする。この場合この蓋体のマイクロホン６に対応する部分に音声の通過する所定の孔を形成する如くする。
【００１８】
本例は上述の如く、コード分岐部カバー１３内にマイクロホン６を設けたので、このマイクロホン６部の部品点数を少なくできると共に、このヘッドセットの外観上の凹凸が少なくなり、意匠的にすっきりし、且つ収納時のコードの絡みを軽減することができる。
【００１９】
尚、上述例においては、コード分岐部カバー１３内にマイクロホン６を設けた例につき述べたが、このコード分岐部カバー１３内にマイクロホン６の外にヘッドホン１Ｌ，１Ｒの音量調節用のボリウム、マイクミュート機能又は着信スイッチ機能用のスイッチを設けるようにしても良いし、またマイクロホン６としてエレクトレットコンデンサマイクロホンを使用したときには電源としての電池を配するようにしても良い。
【００２０】
また、本発明は上述例に限ることなく本発明の要旨を逸脱することなく、その他種々の構成が取り得ることは勿論である。
【００２１】
【発明の効果】
本発明によれば、コード分岐部カバー内にマイクロホンを設けたので、このマイクロホン部の部品点数を少なくできると共にこのヘッドセットの外観上の凹凸が少なくなり、意匠的にすっきりし、且つ収納時のコードの絡みを軽減でき使い勝手が向上する。
【図面の簡単な説明】
【図１】本発明ヘッドセットの実施の形態の例を示す斜視図である。
【図２】本発明の要部の例を示す蓋体を除いた斜視図である。
【図３】従来のヘッドセットの例を示す斜視図である。
【図４】従来のヘッドセットの例を示す斜視図である。
【符号の説明】
１Ｌ‥‥左ヘッドホン、１Ｒ‥‥右ヘッドホン、２Ｌ‥‥左チャンネル入力コード、２Ｒ‥‥右チャンネル入力コード、３，１３‥‥コード分岐部カバー、４，４ａ‥‥複合コード部、５‥‥ステレオプラグ、６‥‥マイクロホン、７‥‥出力コード、８‥‥マイクロホンプラグ
【図１】
2004064537.tif 000003
【図２】
2004064537.tif 000004
【図３】
2004064537.tif 000005
【図４】
2004064537.tif 000006